(57)【要約】【課題】カラーフィルタと光源とを近接配置することができて装置のコンパクト化を図り得、且つ、カラーフィルタを損傷する程度の発熱を生じる虞を低減することのできる照明装置を提供すること。【解決手段】照明装置１は、平面状の発光面２を有する複数の白色発光ダイオード３が並列状に配列された光源装置４と、光源装置４に隣接して配設されたカラーフィルタ装着体５とを具備しており、カラーフィルタ装着体５は、当該カラーフィルタ装着体５に着脱自在に装着された状態のカラーフィルタ８と複数の白色発光ダイオード３の夫々の平面状の発光面２との間に隙間１０が形成される程度に光源装置４に近接している。【選択図】図１
2012199193.tif 000002
【特許請求の範囲】
【請求項１】
平面状の発光面を有する複数の発光ダイオードが配列された光源装置と、この光源装置に隣接して配設されたカラーフィルタ装着体とを具備しており、カラーフィルタ装着体は、当該カラーフィルタ装着体に着脱自在に装着された状態のカラーフィルタと複数の発光ダイオードの夫々の平面状の発光面との間に隙間が形成される程度に光源装置に近接している照明装置。
【請求項２】
複数の発光ダイオードの夫々の平面状の発光面は、互いに面一である請求項１に記載の照明装置。
【請求項３】
複数の発光ダイオードは、夫々互いに等間隔をもって並列状に配列されている請求項１又は２に記載の照明装置。
【請求項４】
複数の発光ダイオードの夫々は、白色発光ダイオードからなる請求項１から３のいずれか一項に記載の照明装置。
【発明の詳細な説明】
【技術分野】
【０００１】
本発明は、テレビスタジオ、写真スタジオ、舞台等を照らして照明演出を行うスポットライトやテレビスタジオ、写真スタジオ、舞台等の壁を照らして照明演出を行うホリゾントライト等に用いられて好適な照明装置に関する。
【背景技術】
【０００２】
例えばスポットライト等の照明装置においては、光源からの光にカラーフィルタを通過させて照射光の色彩、パターンを変化させて照明演出を行うようになっている。斯かる照明装置では、光源が筐体の後壁に配設されると共にカラーフィルタが筐体の前壁に配設されており、当該光源とカラーフィルタとが互いに離反されている。これは主に光源の発光による熱に基づくカラーフィルタの損傷を回避するためであり、例えばカラーフィルタが合成樹脂製である場合には、照明装置の使用者は、カラーフィルタが溶融するといった事態が生じないように、光源の連続発光時間を短縮するなどして発熱に注意しなければならない。
【先行技術文献】
【特許文献】
【０００３】
【特許文献１】特開２００４−３１７９０９号公報
【発明の概要】
【発明が解決しようとする課題】
【０００４】
ところで、斯かる照明装置では、カラーフィルタは光源から離反されて配設されるために、装置のコンパクト化を図り難く、また、カラーフィルタを損傷する程度の発熱を生じさせないことが望ましい。
【０００５】
本発明は、前記諸点に鑑みてなされたものであり、その目的とするところは、カラーフィルタと光源とを近接配置することができて装置のコンパクト化を図り得、且つ、カラーフィルタを損傷する程度の発熱を生じる虞を低減することのできる照明装置を提供することにある。
【課題を解決するための手段】
【０００６】
本発明の照明装置は、平面状の発光面を有する複数の発光ダイオードが配列された光源装置と、この光源装置に隣接して配設されたカラーフィルタ装着体とを具備しており、カラーフィルタ装着体は、当該カラーフィルタ装着体に着脱自在に装着された状態のカラーフィルタと複数の発光ダイオードの夫々の平面状の発光面との間に隙間が形成される程度に光源装置に近接している。
【０００７】
本発明の照明装置によれば、光源装置において平面状の発光面を有する複数の発光ダイオードが配列されており、光源装置に隣接して配設されたカラーフィルタ装着体は、当該カラーフィルタ装着体に着脱自在に装着された状態のカラーフィルタと複数の発光ダイオードの夫々の平面状の発光面との間に隙間が形成される程度に光源装置に対して近接しているために、カラーフィルタを損傷する程度の発熱を生じる虞を低減することができて、カラーフィルタと光源とを近接配置することができ、而して、装置のコンパクト化を図り得、加えて、並列状に配列された複数の発光ダイオードが平面状の発光面を有しているために、光源装置からカラーフィルタを通過した照射光に色ムラが生じる虞を低減することができ、アパーチャ等を用いる必要をなくし得る。
【０００８】
本発明の照明装置の好ましい例では、複数の発光ダイオードの夫々の平面状の発光面は、互いに面一である。このような好ましい例によれば、カラーフィルタが平板状である場合には、複数の発光ダイオードの夫々の平面状の発光面とカラーフィルタ装着体に装着された状態のカラーフィルタとの隙間を均一にすることができて、光源装置からカラーフィルタを通過した照射光に色ムラが生じる虞をより低減することができる。
【０００９】
本発明の照明装置の好ましい例では、複数の発光ダイオードは、夫々互いに等間隔をもって並列状に配列されている。このような好ましい例によれば、複数の発光ダイオードの夫々の平面状の発光面から発光される照射光の重なり範囲を均一にし得、光源装置からの照射光の明度を均一にすることができる。
【００１０】
本発明の照明装置の好ましい例では、複数の発光ダイオードの夫々は、白色発光ダイオードからなる。
【発明の効果】
【００１１】
本発明によれば、カラーフィルタと光源とを近接配置することができて装置のコンパクト化を図り得、且つ、カラーフィルタを損傷する程度の発熱を生じる虞を低減することのできる照明装置を提供し得る。
【図面の簡単な説明】
【００１２】
【図１】図１は、本発明の実施の形態の例の側面視断面説明図である。
【図２】図２は、図１に示す例の主に光源装置を示す正面視断面説明図である。
【発明を実施するための形態】
【００１３】
次に本発明を、図に示す好ましい実施の形態の例に基づいて更に詳細に説明する。なお、本発明はこれら例に何等限定されないのである。
【実施例】
【００１４】
図１及び図２において、本例の照明装置１は、平面状の発光面２を有する複数の発光ダイオードとしての白色発光ダイオード３が並列状に配列された光源装置４と、照射方向Ｘにおいて光源装置４に隣接して配設されたカラーフィルタ装着体５と、光源装置４との間にカラーフィルタ装着体５が介在されるように配設されたレンズ６と、光源装置４、カラーフィルタ装着体５及びレンズ６が取り付けられた筐体７とを具備している。
【００１５】
光源装置４は、上述の複数の白色発光ダイオード３と、平坦面１１から発光面２が露呈するように複数の白色発光ダイオード３が埋設された絶縁体１２と、絶縁体１２の周縁を取り囲んでいる矩形状の枠体１３とを具備している。
【００１６】
複数の白色発光ダイオード３は、互いに電気的に接続されており、夫々互いに等間隔をもって配列されている。複数の白色発光ダイオード３の夫々の平面状の発光面２は、互いに面一である。複数の白色発光ダイオード３の夫々は、消費電力１Ｗ〜２Ｗ程度である。複数の白色発光ダイオード３の発光の制御は、これらに供給される電流等の制御、例えばいわゆるＰＷＭ制御によって行われる。光源装置４は、本例では消費電力３６Ｗ〜７２Ｗ程度、例えば６０Ｗ程度であるが、白熱電球を備えた消費電力５００Ｗ程度の光源装置（図示せず）による光量と同等の光量を有しているため、光源装置４の電力消費量を低減させると共に光源装置４の発熱も著しく低減することができる。
【００１７】
絶縁体１２の平坦面１１はカラーフィルタ装着体５に装着された状態のカラーフィルタ８に対して対面するように設けられている。枠体１３は、平坦面及び発光面２に対して照射方向Ｘにおいて前方に若干突出した突出部１４を有しており、突出部１４においてカラーフィルタ装着体５に連結されている。枠体１３は、カラーフィルタ装着体５と協働して絶縁体１２の周囲を覆っている。
【００１８】
カラーフィルタ装着体５は、平板状のカラーフィルタ８の周縁を摺動自在に支持する矩形状の支持枠体２１と、カラーフィルタ８が挿抜されるように支持枠体２１に形成されたカラーフィルタ挿抜用の長孔２２とを具備している。
【００１９】
支持枠体２１は、枠体１３の突出部１４に隙間なく連結されていると共に、筐体７の照射方向Ｘに伸びた周壁１６に支持されている。長孔２２は、筐体７の周壁１６から外部に露呈しており、このため、カラーフィルタ８の挿入及び抜出が簡単に行い得る。長孔２２は、支持枠体２１の少なくとも一辺に設けられていればよいが、全辺に設けられていてもよい。
【００２０】
カラーフィルタ装着体５は枠体１３の突出部１４に連結されているために、当該カラーフィルタ装着体５に装着された状態のカラーフィルタ８と発光面２の夫々との間には隙間１０が形成され、この隙間１０は微少隙間であってもよい。尚、本例の照明装置１においては、アパーチャは必要としない。光源装置４とカラーフィルタ装着体５とは、これらの間にアパーチャ等の介在物が設置できない程度に近接していてもよい。
【００２１】
レンズ６は、筐体７の前壁１７に装着されており、単に筐体７内部と外部を遮断するために設けられるものであってもよく、また、フォーカスレンズからなっていてもよい。レンズ６が例えばフォーカスレンズからなる場合には、筐体７の周壁１６は例えば図１に示すように照射方向Ｘにおいて伸縮自在に入れ子式に形成されてもよい。レンズ６は、好ましくはカラーフィルタ装着体５に近接して配設されるが、斯かるレンズ６は照明装置１から省かれてもよい。レンズ６が省かれた場合には照明装置１は更にコンパクトに形成される。
【００２２】
斯かるカラーフィルタ装着体５は、当該カラーフィルタ装着体５に着脱自在に装着された状態のカラーフィルタ８と複数の白色発光ダイオード３の夫々の平面状の発光面２との間に隙間１０が形成される程度に光源装置４に近接している。
【００２３】
本例の照明装置１に着脱自在に装着されるカラーフィルタ８は、ポリエステル、ポリカーボネード、ポリエチレンテレフタレート等の合成樹脂性のフィルムに着色を施したフィルタであってもよい。
【００２４】
尚、本例では、照明装置１は、白色発光ダイオード３を具備しているが、これらに代えて又は加えて、赤色発光ダイオード、黄色発光ダイオード、緑色発光ダイオード、青色発光ダイオード等の白色を除く発光色を有する発光ダイオードを具備していてもよい。
【００２５】
本例の照明装置１によれば、平面状の発光面２を有する複数の白色発光ダイオード３が配列された光源装置４と、光源装置４に隣接して配設されたカラーフィルタ装着体５とを具備しており、カラーフィルタ装着体５は、当該カラーフィルタ装着体５に着脱自在に装着された状態のカラーフィルタ８と複数の白色発光ダイオード３の夫々の平面状の発光面２との間に隙間１０が形成される程度に光源装置４に近接しているために、カラーフィルタ８を損傷する程度の発熱を生じる虞を低減することができて、カラーフィルタ８と光源装置４とを近接配置することができ、而して、照明装置１のコンパクト化を図り得、加えて、並列状に配列された複数の白色発光ダイオード３が平面状の発光面２を有しているために、光源装置４からカラーフィルタ８を通過した照射光に色ムラが生じる虞を低減することができ、アパーチャ等を用いる必要をなくし得る。
【００２６】
照明装置１によれば、複数の白色発光ダイオード３の夫々の平面状の発光面２は、互いに面一であるために、カラーフィルタ８が平板状である場合には、複数の白色発光ダイオード３の夫々の平面状の発光面２とカラーフィルタ装着体５に装着された状態のカラーフィルタ８との隙間を均一にすることができて、光源装置４からカラーフィルタ８を通過した照射光に色ムラが生じる虞をより低減することができる。
【００２７】
照明装置１によれば、複数の白色発光ダイオード３は、夫々互いに等間隔をもって並列状に配列されているために、複数の白色発光ダイオード３の夫々の平面状の発光面２から発光される照射光の重なり範囲を均一にし得、光源装置４からの照射光の明度を均一にすることができる。
【符号の説明】
【００２８】
１  照明装置
２  発光面
３  白色発光ダイオード
４  光源装置
５  カラーフィルタ装着体
１０  隙間
【図１】
2012199193.tif 000003
【図２】
2012199193.tif 000004